(57)【要約】【課題】端子を挿入する際の作業性を向上したレバー式コネクタを提供する。【解決手段】電線端末の端子６１が収容されるコネクタハウジング２２と、このコネクタハウジング２２に回転自在に取り付けられて該コネクタハウジング２２の電線引出し側で回転させることでコネクタハウジング２２と嵌合する相手側コネクタを正規嵌合位置まで移動させるレバー３０とを備えたレバー式コネクタ１であって、レバー３０が一対のアーム部３１（３１ａ、３１ｂ）と、これらのアーム部３１の基端部５１（５１ａ、５１ｂ）同士を連結する連結部３８とで形成され、一対のアーム部３１の基端部５１の、互いに対向する内壁５０（５０ａ、５０ｂ）の少なくとも一方に、基端部５１間を拡張する切り欠き部５３を設けた。【選択図】図１
2012018877.tif 000002
【特許請求の範囲】
【請求項１】
電線端末の端子が収容されるコネクタハウジングと、
このコネクタハウジングに回転自在に取り付けられて該コネクタハウジングの電線引出し側で回転させることでコネクタハウジングと嵌合する相手側コネクタを正規嵌合位置まで移動させるレバーとを備えたレバー式コネクタであって、
前記レバーが一対のアーム部と、これらのアーム部の基端部同士を連結する連結部とで形成され、
前記一対のアーム部の基端部の、互いに対向する内壁の少なくとも一方に、基端部間を拡張する切り欠き部が設けられ、
前記コネクタハウジングの外周面には前記レバーを仮係止位置に係止する仮係止突起が設けられ、
前記切り欠き部には前記仮係止突起に係合する仮係止係合突起が形成されていることを特徴とするレバー式コネクタ。
【請求項２】
請求項１に記載のレバー式コネクタであって、
前記切り欠き部は、アーム部の厚みを薄く形成した浅溝形状に形成され、
前記仮係止係合突起は、前記浅溝形状の切り欠き部の底部からアーム部の厚さまでの高さに形成されていることを特徴とするレバー式コネクタ。
【請求項３】
請求項１又は請求項２に記載のレバー式コネクタであって、
前記切り欠き部は、レバーの一方の側部側に開放され、他方の側部側に前記仮係止係合突起が形成されていることを特徴とするレバー式コネクタ。
【発明の詳細な説明】
【技術分野】
【０００１】
本発明は、レバーの回転によって相手コネクタを嵌合させるレバー式コネクタに関する。
【背景技術】
【０００２】
従来から、レバーの回転によって相手コネクタを嵌合させるレバー式コネクタとして、例えば、特開２００３−２７２７５５号公報（特許文献１）に記載されたレバー式コネクタが提案されている。このレバー式コネクタは、レバーの回転によって相手コネクタをコネクタハウジングの半嵌合位置から正規嵌合位置まで引き込み、これによって嵌合作業が容易になると共に嵌合作業の確実性等を図ることができるものである。
【０００３】
図９は、特許文献１に記載されたレバー式コネクタの構成を示す図である。図９に示すように、レバー式コネクタ１００は、雌コネクタ（図示省略）と嵌合及び雌コネクタと嵌合解除が可能な雄コネクタ１２０と、雄コネクタ１２０側に回転自在に取り付けられたレバー１３０と、概略ドーム形状を有し、電線を外部へ導き出すワイヤーカバー１４０とから略構成されている。
【０００４】
雄コネクタ１２０は、電線端末の端子（図示省略）を収容する複数の端子収容室１２１を備えたコネクタハウジング１２２と、レバー１３０をコネクタハウジング１２２に回転自在に取り付ける回転軸ピン１２３とから構成されている。
【０００５】
レバー１３０は、一対のアーム部１３１と、これらのアーム部１３１をつなぐ連結部１３８から構成されている。アーム部１３１は、コネクタハウジング１２２の回転軸ピン１２３が挿入される回転軸孔１３２と、アーム部１３１の円周方向に沿って回転軸孔１３２からの距離を可変するカム溝１３３と、レバー１３０を回動操作する操作部１３４とから構成されている。操作部１３４には、回転移動したレバー１３０を係止する係止部１３５が設けられている。
【０００６】
ワイヤーカバー１４０は、コネクタハウジング１２２からワイヤーカバー１４０方向に導出された電線を内部に収容して電線束として外部へと導き出すカバー本体１４１と、概略ドーム形状の天井箇所に設けられたロックアーム１４２から構成されている。
【０００７】
次に、上記のように構成されたレバー式コネクタ１００の嵌合作業について説明する。先ず、コネクタハウジング１２２の回転軸ピン１２３をレバー１３０の回転軸孔１３２に通すことにより、レバー１３０をコネクタハウジング１２２に対して回転自在に取り付ける。
【０００８】
そして、端子収容室１２１に電線端末の端子（図示省略）を挿入し、コネクタハウジング１２２の端子収容室１２１側に被せるようにワイヤーカバー１４０を組み付け、雌コネクタ（図示省略）を雄コネクタ１２０のコネクタハウジング１２２内に挿入する。コネクタハウジング１２２に挿入した雌コネクタのカムピン（図示省略）をレバー１３０のカム溝１３３に係合し、雌コネクタをコネクタハウジング１２２に対して半嵌合位置にセットする。
【０００９】
次に、レバー１３０を回転すると、このレバー１３０の回転によってカム溝１３３よりカムピン（図示省略）が押圧力を受け、雌コネクタの端子（図示省略）が徐々にコネクタハウジング１２２の正規嵌合位置側に変移される。
【００１０】
また、レバー１３０の回転位置が所定の位置にまで達すると、係止部１３５はワイヤーカバー１４０に設けられたロックアーム１４２を乗り越えてロックアーム１４２と係合し、雌コネクタ（図示省略）とコネクタハウジング１２２は正規嵌合位置で嵌合する。
【先行技術文献】
【特許文献】
【００１１】
【特許文献１】特開２００３−２７２７５５号公報
【発明の概要】
【発明が解決しようとする課題】
【００１２】
しかしながら、上述した従来のレバー式コネクタ１００では、レバー１３０の一部は、コネクタハウジング１２２の端子収容室１２１よりも電線引き出し側に突出して取り付けられている。このため、端子収容室１２１に電線端末の端子を指で掴んで挿入する際、手がレバー１３０に干渉することにより、端子を正規の挿入位置に挿入し難く、作業性が低下するという問題が発生する。
【００１３】
そこで、本発明はこのような従来の課題を解決するためになされたものであり、その目的とするところは、端子を挿入する際の作業性を向上したレバー式コネクタを提供することにある。
【課題を解決するための手段】
【００１４】
上記目的を達成するため、本願請求項１に記載した本発明のレバー式コネクタは、電線端末の端子が収容されるコネクタハウジングと、このコネクタハウジングに回転自在に取り付けられて該コネクタハウジングの電線引出し側で回転させることでコネクタハウジングと嵌合する相手側コネクタを正規嵌合位置まで移動させるレバーとを備えたレバー式コネクタであって、前記レバーが一対のアーム部と、これらのアーム部の基端部同士を連結する連結部とで形成され、前記一対のアーム部の基端部の、互いに対向する内壁の少なくとも一方に、基端部間を拡張する切り欠き部が設けられ、前記コネクタハウジングの外周面には前記レバーを仮係止位置に係止する仮係止突起が設けられ、前記切り欠き部には前記仮係止突起に係合する仮係止係合突起が形成されていることを特徴とする。
【００１５】
請求項２に記載した本発明のレバー式コネクタは、請求項１に記載のレバー式コネクタであって、前記切り欠き部は、アーム部の厚みを薄く形成した浅溝形状に形成され、前記仮係止係合突起は、前記浅溝形状の切り欠き部の底部からアーム部の厚さまでの高さに形成されていることを特徴とする。
【００１６】
請求項３に記載した本発明のレバー式コネクタは、請求項１又は請求項２に記載のレバー式コネクタであって、前記切り欠き部は、レバーの一方の側部側に開放され、他方の側部側に前記仮係止係合突起が形成されていることを特徴とする。
【発明の効果】
【００１７】
請求項１に記載した本発明のレバー式コネクタによれば、アーム部の内壁に、アーム部の基端部間を拡張する切り欠き部が設けられている。このため、コネクタハウジングに電線端末の端子を挿入する際、手がレバーに干渉することがなく、端子を正規の挿入位置に挿入し易くなる。
【００１８】
また、仮係止突起は、切り欠き部に形成された仮係止係合突起に係合するため、レバーが回転することなく、電線端末の端子を挿入することができる。従って、端子を挿入する際の作業性を向上したレバー式コネクタを提供することができる。
【００１９】
請求項２に記載した本発明のレバー式コネクタによれば、切り欠き部は、アーム部の厚みを薄く形成した浅溝形状に形成されているため、レバー式コネクタの厚みを厚くすることなく、基端部間を拡張することができる。
【００２０】
また、仮係止係合突起は、浅溝形状の切り欠き部の底部からアーム部の厚さまでの高さに形成されているため、レバー式コネクタの厚みを厚くすることなく、レバーを仮係止位置に保持して電線端末の端子を挿入することができる。
【００２１】
請求項３に記載した本発明のレバー式コネクタによれば、切り欠き部がレバーの一方の側部側に開放されているため、電線端末の端子を挿入する際、手がレバーに干渉することがない。従って、端子を正規の挿入位置に挿入し易くなるため、作業性が向上する。また、他方の側部側に仮係止係合突起が形成されているため、レバーに別途、突起を設ける必要がなく、構成部品を減らすことで製造コストの低減を図ることができる。
【図面の簡単な説明】
【００２２】
【図１】本発明の実施形態に係るレバー式コネクタのコネクタハウジングとレバーとの組み付け前を示す斜視図である。
【図２】本発明の実施形態に係るレバー式コネクタのコネクタハウジングとレバーとの組み付け後を示す斜視図である。
【図３】本発明の実施形態に係るレバー式コネクタのコネクタハウジングとレバーの平面図である。
【図４】本発明の実施形態に係るレバー式コネクタのコネクタハウジングとレバーとの組み付け後を示す平面図である。
【図５】本発明の実施形態に係るレバー式コネクタのレバーの仮係止状態を示す図である。
【図６】本発明の実施形態に係るレバー式コネクタのＡ−Ａ断面図である。
【図７】本発明の実施形態に係るレバー式コネクタのＢ−Ｂ断面図である。
【図８】本発明の実施形態に係るレバー式コネクタのＣ−Ｃ断面図である。
【図９】従来におけるレバー式コネクタの斜視図である。
【発明を実施するための形態】
【００２３】
以下、本発明の実施形態について図面を参照して説明する。図１は、本発明の実施形態に係るレバー式コネクタのコネクタハウジングとレバーとの組み付け前を示す斜視図である。図２は、本発明の実施形態に係るレバー式コネクタのコネクタハウジングとレバーとの嵌合後を示す斜視図である。図３は、本発明の実施形態に係るレバー式コネクタのコネクタハウジングとレバーの平面図である。
【００２４】
はじめに、図１から図３を参照して、本発明の実施形態に係るレバー式コネクタの構成について説明する。本発明の実施形態に係るレバー式コネクタは、レバーを仮係止位置に係止して電線端末の端子を挿入し、レバーの回転によって相手側コネクタとコネクタハウジングとを正規嵌合位置で嵌合するものである。
【００２５】
図１から図３に示すように、レバー式コネクタ１は、相手側コネクタである雌コネクタ（図示省略）と嵌合、及び、相手側コネクタである雌コネクタと嵌合解除が可能な雄コネクタ２０と、雄コネクタ２０に回転自在に取り付けられて電線引出し側（図１の矢印Ｘ参照）で回転することが可能なレバー３０とから略構成されている。
【００２６】
雄コネクタ２０は、図１及び図２に示すように、複数の電線端末の端子６１を収容する端子収容室２１が設けられたコネクタハウジング２２を有している。このコネクタハウジング２２の外周面（上外周面４１及び下外周面４２）には、図１から図３に示すように、レバー３０をコネクタハウジング２２に回転自在に取り付ける回転軸ピン２３と、レバー３０を仮係止位置（後述する図５参照）に係止する仮係止突起４４が設けられている。
【００２７】
仮係止突起４４は、図１から図３に示すように、レバー３０をコネクタハウジング２２に取り付けた場合、後述するアーム部３１の内壁５０ａ、５０ｂ側に突出する形状を有している。そして、レバー３０が電線引出し側（図１の矢印Ｘ参照）で回転することにより仮係止位置（後述する図５参照）まで移動した場合、仮係止突起４４は、後述する仮係止係合突起５４と係合する。
【００２８】
このように、コネクタハウジング２２の外周面（上外周面４１及び下外周面４２）にレバー３０を仮係止位置（図５参照）に係止する仮係止突起４４が設けられているため、レバー３０を仮係止位置に保持することができる。
【００２９】
また、仮係止突起４４は、切り欠き部５３に形成された仮係止係合突起５４に係合するため、レバー３０が回転することなく、電線端末の端子６１を挿入することができる。従って、端子６１を挿入する際の作業性を向上することができる。
【００３０】
レバー３０は、図１に示すように、一対のアーム部３１（３１ａ、３１ｂ）と、レバー３０を回動操作する操作部３４が設けられ、アーム部３１（３１ａ、３１ｂ）をつなぐ連結部３８とから略構成されている。
【００３１】
アーム部３１の基端部５１（５１ａ、５１ｂ）には、図１に示すように、対向する基端部５１の内壁５０ａ、５０ｂに基端部５１ａと基端部５１ｂとの間Ｙ（一対の基端部５１同士の間）を拡張する切り欠き部５３と、コネクタハウジング２２に設けられた仮係止突起４４と係合する仮係止係合突起５４が設けられている。
【００３２】
このように、アーム部３１の内壁５０ａ、５０ｂに、アーム部３１の基端部５１ａと基端部５１ｂとの間Ｙを拡張する切り欠き部５３が設けられているため、コネクタハウジング２２に電線端末の端子６１を指で掴んで挿入する際、手がレバー３０に干渉することがない。
【００３３】
また、切り欠き部５３により、基端部５１ａと基端部５１ｂとの間Ｙが拡張されるため、コネクタハウジング２２に電線端末の端子６１を挿入する際、端子６１を正規の挿入位置に挿入し易くなる。従って、端子６１を挿入する際の作業性を向上したレバー式コネクタ１を提供することができる。
【００３４】
切り欠き部５３は、図１に示すように、アーム部３１の厚みを薄く形成した浅溝形状に形成され、レバー３０の一方の側部側３５ａに開放されている。つまり、切り欠き部５３は、上面視するとレバー３０の他方の側部側３５ｂから一方の側部側３５ａに向かう長尺形状を有し、側面視すると切り欠き部５３の厚さはアーム部３１の厚さよりも薄く形成されている。
【００３５】
このように、切り欠き部５３は、アーム部３１の厚みを薄く形成した浅溝形状に形成されているため、レバー式コネクタ１の厚みを厚くすることがない。従って、基端部５１ａと基端部５１ｂとの間Ｙを拡張しつつ、レバー式コネクタ１の小型化を図ることができる。
【００３６】
また、切り欠き部５３がレバー１の一方の側部側３５ａに開放されているため、電線端末の端子６１を指で掴んで挿入する際、手がレバー３０に干渉することがない。つまり、端子６１を挿入する側（一方の側部側３５ａ）は、切り欠き部５３が形成された幅が広いため、指で掴んで端子６１を端子収容室２１に接近させた場合、手がレバー３０に当たることがない。
【００３７】
さらに、手がレバー３０に当たることがないため、アーム部３１の内壁５０近傍の端子収容室２１に端子６１を挿入し易くなる。従って、端子６１を正規の挿入位置に挿入し易くなるため、作業性が向上する。
【００３８】
また、他方の側部側３５ｂに仮係止係合突起５４が形成されているため、レバー３０に別途、突起を設ける必要がなく、構成部品を減らすことで製造コストの低減を図ることができる。
【００３９】
仮係止係合突起５４は、図１に示すように、浅溝形状に形成された切り欠き部５３の底部からアーム部３１の厚さまでの高さに形成されている。つまり、仮係止係合突起５４は、切り欠き部５３の底部に対して所定角度傾斜して形成されている。
【００４０】
このように、仮係止係合突起５４は、浅溝形状の切り欠き部５３の底部からアーム部３１の厚さまでの高さに形成されているため、レバー式コネクタ１の厚みを厚くすることなく、レバー３０を仮係止位置（図５参照）に保持して電線端末の端子６１を挿入することができる。
【００４１】
アーム部３１は、図１に示すように、基端部５１を挟んで連結部３８の反対側端部にはカム溝形成部５２が形成されている。カム溝形成部５２には、コネクタハウジング２２の回転軸ピン２３が挿入される回転軸孔３２と、雌コネクタのカムピン（図示省略）と係合するカム溝３３が設けられている。
【００４２】
このように、基端部５１ａと基端部５１ｂを挟んで連結部３８の反対側端部にカム溝形成部５２が形成されているため、切り欠き部５３や仮係止係合突起５４が相手側コネクタ（図示省略）と嵌合する際、嵌合作業に影響を与えることがなく、電線端末の端子６１を挿入する際の作業性を向上することができる。
【００４３】
次に、図４から図８を参照して、本発明の実施形態に係るレバー式コネクタ１の嵌合作業について説明する。図４は、本発明の実施形態に係るレバー式コネクタのコネクタハウジングとレバーとの組み付け後を示す平面図である。図５は、本発明の実施形態に係るレバー式コネクタのレバーの仮係止状態を示す図である。図６は、本発明の実施形態に係るレバー式コネクタのＡ−Ａ断面図である。図７は、本発明の実施形態に係るレバー式コネクタのＢ−Ｂ断面図である。図８は、本発明の実施形態に係るレバー式コネクタのＣ−Ｃ断面図である。
【００４４】
先ず、図４に示すように、コネクタハウジング２２の回転軸ピン２３をレバー３０の回転軸孔３２に通すことにより、レバー３０をコネクタハウジング２２に対して回転自在に取り付ける。
【００４５】
図６（ａ）に示すように、レバー３０をコネクタハウジング２２に取り付けると、図６（ｂ）に示すように、コネクタハウジング２２の仮係止突起４４の突起部４４ａは、アーム部３１の切り欠き部５３の間（一方の側部側３５ａと仮係止係合突起５４との間）に位置する。
【００４６】
つまり、レバー３０をコネクタハウジング２２に取り付けると、図６（ｂ）に示す仮係止突起４４の突起部４４ａは、仮係止係合突起５４の傾斜部５４ａと当接するため、レバー３０は図４に示す矢印Ａ方向への回転が規制される。
【００４７】
次に、図５に示すように、レバー３０の操作部３４を図４に示す矢印Ａ方向に操作してレバー３０を回転することにより、レバー３０を仮係止位置に係止する。ここで、仮係止位置とは、端子６１が挿入される端子収容室２１（図１参照）近傍にレバー３０の操作部３４が位置することをいう。
【００４８】
つまり、レバー３０を図４に示す矢印Ａ方向に回転すると、図７（ｂ）に示す仮係止突起４４の突起部４４ａは、仮係止係合突起５４の傾斜部５４ａと当接する。そして、さらにレバー３０を回転すると、突起部４４ａは、仮係止係合突起５４の傾斜頭部５４ｂを乗り越える。突起部４４ａが傾斜頭部５４ｂを乗り越えると、図７（ｂ）に示すように、仮係止突起４４の仮係止平坦部４４ｂは仮係止係合平坦部５４ｃと略同一面上に位置し、レバー３０は仮係止位置に係止する。
【００４９】
このように、仮係止突起４４の突起部４４ａが仮係止係合突起５４の傾斜頭部５４ｂを乗り越えることにより、レバー３０を仮係止位置に係止する。このため、レバー３０の仮係止位置まで移動する間（図４及び図５参照）に、仮係止突起４４とレバー３０との干渉範囲を最小限に抑えることにより、レバー３０をコネクタハウジング２２に取り付け易くなる。
【００５０】
仮係止突起４４の突起部４４ａは、仮係止係合突起５４の傾斜頭部５４ｂを乗り越えることが可能に、端子収容室２１（図１参照）側に撓み変形する弾性部材で構成してもよい。また、仮係止係合突起５４の傾斜頭部５４ｂも突起部４４ａが乗り越えることが可能に、切り欠き部５３側に撓み変形する弾性部材で構成してもよい。
【００５１】
そして、レバー３０を回転することによりレバー３０を仮係止位置に係止すると、図８に示すように、端子収容室２１に電線端末の端子６１を挿入する。電線端末の端子を挿入する際、浅溝形状に切り欠き部５３が形成されているため、アーム部３１ａとアーム部３１ｂとの間Ｚが従来のアーム部間よりも広く、電線端末の端子６１の挿入作業がし易くなる。
【００５２】
また、浅溝形状に切り欠き部５３が形成されているため、端子収容室２１に電線端末の端子６１を挿入する際に指が端子収容室２１近傍まで入ることにより、端子６１を掴んでいる指の位置から端子収容室２１までの距離が短くなる。これにより、電線端末の端子６１の挿入作業がし易くなる。また、端子収容室２１に端子６１を挿入する際、端子６１を掴んでいる指の位置から端子収容室２１までの距離が長いために生ずる電線の折れ等を防止することができる。
【００５３】
端子収容室２１に電線端末の端子６１が挿入されると、コネクタハウジング２２の端子収容室２１側に被せるようにワイヤーカバー（図示省略）を組み付け、雌コネクタ（図示省略）を図１に示す矢印Ｂ方向から雄コネクタ２０のコネクタハウジング２２内に挿入する。コネクタハウジング２２に挿入した雌コネクタのカムピン（図示省略）をレバー４のカム溝４３に係合し、雌コネクタ１０をコネクタハウジング２２に対して半嵌合位置にセットする。
【００５４】
次に、仮係止位置に位置するレバー３０をさらに図４に示す矢印Ａ方向に回転すると、このレバー３０の回転によってカム溝３３よりカムピン（図示省略）が押圧力を受け、雌コネクタの端子（図示省略）が徐々にコネクタハウジング２２の正規嵌合位置側に変移されて、雌コネクタとコネクタハウジング２２は正規嵌合する。
【００５５】
このようにして、本発明の実施形態に係るレバー式コネクタ１は、電線端末の端子６１が収容されるコネクタハウジング２２と、このコネクタハウジング２２に回転自在に取り付けられて該コネクタハウジング２２の電線引出し側（図１の矢印Ｘ）で回転させることでコネクタハウジング２２と嵌合する相手側コネクタを正規嵌合位置まで移動させるレバー３０とを備えたレバー式コネクタ１であって、レバー３０が一対のアーム部３１（３１ａ、３１ｂ）と、これらのアーム部３１の基端部５１（５１ａ、５１ｂ）同士を連結する連結部３８とで形成され、一対のアーム部３１の基端部５１の、互いに対向する内壁５０（５０ａ、５０ｂ）の少なくとも一方に、基端部５１間を拡張する切り欠き部５３を設けた。
【００５６】
また、コネクタハウジング２２の外周面（上外周面４１、下外周面４２）にはレバー３０を仮係止位置に係止する仮係止突起４４が設けられ、この仮係止突起４４に係合する仮係止係合突起５４が、切り欠き部５３に形成されている。
【００５７】
さらに、本発明の実施形態に係るレバー式コネクタ１は、切り欠き部５３は、アーム部３１の厚みを薄く形成した浅溝形状に形成され、仮係止係合突起５４は、浅溝形状の切り欠き部５３の底部からアーム部３１の厚さまでの高さに形成されている。
【００５８】
また、レバー３０には、基端部５１を挟んで連結部３８の反対側端部に相手側コネクタのカムピンと係合するカム溝３３が設けられるカム溝形成部５２が形成されている。
【００５９】
さらに、本発明の実施形態に係るレバー式コネクタ１は、切り欠き部５３は、レバー３０の一方の側部側３５ａに開放され、他方の側部側３５ｂに仮係止係合突起５４が形成されている。
【００６０】
そして、本発明の実施形態に係るレバー式コネクタ１によれば、アーム部３１の内壁５０ａ、５０ｂに、アーム部３１の基端部５１ａと基端部５１ｂとの間Ｙを拡張する切り欠き部５３が設けられている。このため、コネクタハウジング２２に電線端末の端子６１を挿入する際、手がレバー３０に干渉することがない。
【００６１】
また、切り欠き部５３により、基端部５１ａと基端部５１ｂとの間Ｙが拡張されるため、コネクタハウジング２２に電線端末の端子６１を挿入する際、端子６１を正規の挿入位置に挿入し易くなる。従って、端子６１を挿入する際の作業性を向上したレバー式コネクタ１を提供することができる。
【００６２】
また、コネクタハウジング２２の外周面（上外周面４１及び下外周面４２）にレバー３０を仮係止位置（図５参照）に係止する仮係止突起４４が設けられているため、レバー３０を仮係止位置に保持することができる。
【００６３】
さらに、仮係止突起４４は、切り欠き部５３に形成された仮係止係合突起５４に係合するため、レバー３０が回転することなく、電線端末の端子６１を挿入することができる。
【００６４】
また、本発明のレバー式コネクタ１によれば、切り欠き部５３は、アーム部３１の厚みを薄く形成した浅溝形状に形成されているため、レバー式コネクタ１の厚みを厚くすることなく、基端部５１ａと基端部５１ｂとの間Ｙを拡張することができる。
【００６５】
さらに、仮係止係合突起５４は、浅溝形状の切り欠き部５３の底部からアーム部３１の厚さまでの高さに形成されているため、レバー式コネクタ１の厚みを厚くすることなく、レバー３０を仮係止位置（図５参照）に保持して電線端末の端子６１を挿入することができる。
【００６６】
また、基端部５１ａと基端部５１ｂを挟んで連結部３８の反対側端部にカム溝形成部５２が形成されているため、切り欠き部５３や仮係止係合突起５４が相手側コネクタ（図示省略）と嵌合する際、嵌合作業に影響を与えることがなく、電線端末の端子６１を挿入する際の作業性を向上することができる。
【００６７】
さらに、本発明のレバー式コネクタ１によれば、切り欠き部５３がレバー１の一方の側部側３５ａに開放されているため、電線端末の端子６１を挿入する際、手がレバー３０に干渉することがない。従って、端子６１を正規の挿入位置に挿入し易くなるため、作業性が向上する。また、他方の側部側３５ｂに仮係止係合突起５４が形成されているため、レバー３０に別途、突起を設ける必要がなく、構成部品を減らすことで製造コストの低減を図ることができる。
【００６８】
以上、本発明のレバー式コネクタを図示の実施形態に基づいて説明したが、本発明はこれに限定されるものではなく、各部の構成は、同様の機能を有する任意の構成のものに置き換えることができる。
【００６９】
例えば、上記した実施形態では、切り欠き部５３は、基端部５１の内壁５０ａと内壁５０ｂの両方に設けた場合について説明したが、内壁５０ａ又は内壁５０ｂのいずれか一方に設けてもよい。
【００７０】
また、上記した実施形態では、切り欠き部５３は、上面視するとレバー３０の他方の側部側３５ｂから一方の側部側３５ａに向かう長尺形状を有している場合について説明したが、基端部５１ａと基端部５１ｂとの間Ｙを拡張する形状であれば適宜変更が可能である。
【産業上の利用可能性】
【００７１】
本発明は、レバーの回転によって相手コネクタを嵌合させるレバー式コネクタに端子を挿入する際の作業性を向上する上で極めて有用である。
【符号の説明】
【００７２】
１      レバー式コネクタ
２０    雄コネクタ
２１    端子収容室
２２    コネクタハウジング
２３    回転軸ピン
３０    レバー
３１    アーム部
３２    回転軸孔
３３    カム溝
３４    操作部
３５ａ  一方の側部側
３５ｂ  他方の側部側
３８    連結部
４１    上外周面
４２    下外周面
４４    仮係止突起
４４ａ  突起部
４４ｂ  仮係止平坦部
５０    内壁
５１    基端部
５２    カム溝形成部
５３    切り欠き部
５４    仮係止係合突起
５４ａ  傾斜部
５４ｂ  傾斜頭部
５４ｃ  仮係止係合平坦部
６１    電線端末の端子
【図１】
2012018877.tif 000003
【図２】
2012018877.tif 000004
【図３】
2012018877.tif 000005
【図４】
2012018877.tif 000006
【図５】
2012018877.tif 000007
【図６】
2012018877.tif 000008
【図７】
2012018877.tif 000009
【図８】
2012018877.tif 000010
【図９】
2012018877.tif 000011